(57)【要約】【課題】従来の調理器の手入れの自動実行は、清掃性や安全性が優先のものであった。【解決手段】調理室１０１と加熱調理手段１０２、１０３と制御手段１０４と調理メニュー選択手段１０５と手入れメニュー選択手段１０６と調理メニューに手入れメニューを連動メニューとして登録する手入れ連動メニュー登録手段１０７と調理物取り出し検知手段１０８と取り出し環境検知手段１０９、１１０と、使用エネルギー量予測手段１１１を備え、制御手段１０４は、調理メニュー終了後、取り出し時環境により予測した、その後に行う手入れメニューの使用エネルギー量の、手入れメニュー単独実行時量に対する割合に応じ、手入れメニューを連動自動実行するか決定することで、使用者ニーズにより調理後に手入れメニューを連動させ、かつ調理物取り出し時の残存エネルギーを活用し省エネ手入れできる。【選択図】図１
2011185473.tif 000002
【特許請求の範囲】
【請求項１】
被調理物を収納する調理室と、加熱などの調理を行うための加熱調理手段と、制御手段と、調理メニューを選択するための調理メニュー選択手段と、前記加熱調理手段を用いて調理室を手入れする手入れメニューを選択するための手入れメニュー選択手段と、前記調理メニュー選択手段で選択した調理メニューに、前記手入れメニュー選択手段で選択した手入れメニューを組み合わせて連動メニューとして登録するための手入れ連動メニュー登録手段と、調理物取り出し検知手段と、調理物取り出し時の調理室の環境検知をするための取り出し環境検知手段と、使用エネルギー量予測手段を備え、前記制御手段は、前記手入れ連動メニュー登録手段に登録されたメニュー動作開始時には、調理メニュー終了後、前記取り出し環境検知手段が検知した環境により使用エネルギー量予測手段が予測したその後に行う手入れメニューの使用エネルギー量と、前記手入れメニュー単独の場合の使用エネルギー量を比較して、取り出し後に前記手入れメニューを自動で行うかどうか決定する加熱調理器。
【請求項２】
前記取り出し環境検知手段が検知する環境は、前記調理室内の温度である請求項１記載の加熱調理器。
【請求項３】
前記取り出し環境検知手段が検知する環境は、前記調理室内の蒸気量である請求項１または２に記載の加熱調理器。
【請求項４】
報知手段を備え、前記制御手段は、前記使用エネルギー量予測手段が、前記手入れメニュー単独の場合に対して所定値以下の使用エネルギー量と予測した場合には、取り出し後に手入れメニューを自動開始し、手入れメニュー単独での電力使用時と比較した使用エネルギー量削減量を報知する請求項１〜３のいずれか１項に記載の加熱調理器。
【請求項５】
報知手段を備え、前記制御手段は、前記使用エネルギー量予測手段が、前記手入れメニュー単独の場合に対して所定値より大きい使用エネルギー量と予測した場合には、取り出し後に手入れメニューを行うかどうかの指示入力を行うよう報知する請求項１〜４のいずれか１項に記載の加熱調理器。
【請求項６】
コンピュータに請求項１〜５のいずれか１項に記載の加熱調理器の少なくとも一部を実行させるためのプログラム。
【発明の詳細な説明】
【技術分野】
【０００１】
本発明は、省エネを図りながら、効率的に手入れを行う加熱調理器およびそのプログラムに関するものである。
【背景技術】
【０００２】
従来、受け皿の水の有無を検知して、またメニューに応じて残留油などを焼き切るなどのお手入れモードへの移行やお手入れモードでの出力制御を行う加熱調理器があった。（例えば、特許文献１参照）。
【０００３】
また、魚の身の剥がれなどがなくお手入れが楽なように調理に先立ち予熱を行い、予熱感知手段を設けて、予熱状態を報知する調理用グリルがあった（例えば、特許文献２参照）。
【先行技術文献】
【特許文献】
【０００４】
【特許文献１】特開２００９−２９７３９１号公報
【特許文献２】特開２００４−１９５０７２号公報
【発明の概要】
【発明が解決しようとする課題】
【０００５】
しかしながら、従来の特許文献１では、受け皿の水の有無に応じて、自動的に出力制御し発火などのない安全、かつ、合理的なお手入れができるものの安全性と清掃性を優先したもので、省エネ性については考慮したものでなかった。
【０００６】
また、従来の特許文献２では、調理後ではなく調理前にあらかじめ予熱をしておくことで焦げ付きなどを防止することで、調理物のできばえや清掃性を優先したものであった。
【０００７】
本発明は、前記従来の課題を解決するもので、調理で使用した加熱調理手段のエネルギーを調理物取り出し時の状態に応じて活用して省エネ手入れをすることができる加熱調理器を提供することを目的とする。
【課題を解決するための手段】
【０００８】
前記従来の課題を解決するために、本発明の加熱調理器は、被調理物を収納する調理室と、加熱などの調理を行うための加熱調理手段と、制御手段と、調理メニューを選択するための調理メニュー選択手段と、前記加熱調理手段を用いて調理室を手入れする手入れメニューを選択するための手入れメニュー選択手段と、前記調理メニュー選択手段で選択した調理メニューに、前記手入れメニュー選択手段で選択した手入れメニューを組み合わせて連動メニューとして登録するための手入れ連動メニュー登録手段と、調理物取り出し検知手段と、調理物取り出し時の調理室の環境検知をするための取り出し環境検知手段と、使用エネルギー量予測手段を備え、前記制御手段は、前記手入れ連動メニュー登録手段に登録されたメニュー動作開始時には、調理メニュー終了後、前記取り出し環境検知手段が検知した環境により使用エネルギー量予測手段が予測したその後に行う手入れメニューの使用エネルギー量と、前記手入れメニュー単独の場合の使用エネルギー量を比較して、取り出し後に前記手入れメニューを自動で行うかどうか決定するようにしたものである。
【０００９】
これによって、使用者ニーズに合わせて、調理後に手入れをしたいメニューを連動させ、しかも調理で使用した加熱調理手段のエネルギーを調理物取り出し時の状態に応じて活
用して省エネ性の高い手入れをすることができる。
【発明の効果】
【００１０】
本発明の加熱調理器は、使用者ニーズに合わせて、調理後に手入れをしたいメニューを連動させ、しかも調理で使用した加熱調理手段のエネルギーを調理物取り出し時の状態に応じて活用して省エネ性の高い手入れをすることができる。
【００１１】
また、調理と連動したお手入れ前に、単独でのお手入れに対する使用エネルギー量を予測するので、削減量を報知することにより、使用者が省エネ量を把握でき、またお手入れを自動で行うかどうかの割合を予め決めるようにすることで、省エネ性を優先するのかお手入れ性を優先するのかを使用者が自分のニーズに合わせることができる。
【図面の簡単な説明】
【００１２】
【図１】本発明の実施の形態１における加熱調理器の構成を示すブロック図
【図２】同加熱調理器の動作の流れを示すフローチャート
【図３】同加熱調理器の取り出し時の調理室内の温度による使用エネルギー量予測手段の予測の一例を示す図
【図４】同加熱調理器の取り出し時の調理室内の蒸気量検知の動作の流れを示すフローチャート
【発明を実施するための形態】
【００１３】
第１の発明は、本発明の加熱調理器は、被調理物を収納する調理室と、加熱などの調理を行うための加熱調理手段と、制御手段と、調理メニューを選択するための調理メニュー選択手段と、前記加熱調理手段を用いて調理室を手入れする手入れメニューを選択するための手入れメニュー選択手段と、前記調理メニュー選択手段で選択した調理メニューに、前記手入れメニュー選択手段で選択した手入れメニューを組み合わせて連動メニューとして登録するための手入れ連動メニュー登録手段と、調理物取り出し検知手段と、調理物取り出し時の調理室の環境検知をするための取り出し環境検知手段と、使用エネルギー量予測手段を備え、前記制御手段は、前記手入れ連動メニュー登録手段に登録されたメニュー動作開始時には、調理メニュー終了後、前記取り出し環境検知手段が検知した環境により使用エネルギー量予測手段が予測したその後に行う手入れメニューの使用エネルギー量と、前記手入れメニュー単独の場合の使用エネルギー量を比較して、取り出し後に前記手入れメニューを自動で行うかどうか決定するので、使用者ニーズに合わせて、調理後に手入れをしたいメニューを連動させ、しかも調理で使用した加熱調理手段のエネルギーを調理物取り出し時の状態に応じて活用して省エネ手入れをすることができる。
【００１４】
第２の発明は、特に、第１の発明の加熱調理器の前記取り出し環境検知手段が検知する環境は、前記調理室内の温度とすることで、調理室内が高温となるオーブン調理メニューやグリル調理メニューと、高温で汚れを焼き切るなどの手入れメニューを連動させて省エネ手入れをすることができる。
【００１５】
第３の発明は、特に、第１または第２の発明の加熱調理器の前記取り出し環境検知手段が検知する環境は、前記調理室内の蒸気量とすることで、調理室内に蒸気が満ちる蒸し調理メニューと、蒸気で脱臭や汚れ落としなどの手入れメニューを連動させて省エネ手入れをすることができる。
【００１６】
第４の発明は、特に、第１〜第３のいずれか１つの発明の加熱調理器において、報知手段を備え、前記制御手段は、前記使用エネルギー量予測手段が、前記手入れメニュー単独の場合に対して所定値以下の使用エネルギー量と予測した場合には、取り出し後に手入れメニューを自動開始し、手入れメニュー単独での電力使用時と比較した使用エネルギー量
削減量を報知することにより、取り出し時の環境から省エネ率が高い場合に手入れが自動的に実行される上に、使用者も使用エネルギー量削減量を確認することができる。
【００１７】
第５の発明は、特に、第１〜第４のいずれか１つの発明の加熱調理器において、報知手段を備え、前記制御手段は、前記使用エネルギー量予測手段が、前記手入れメニュー単独の場合に対して所定値より大きい使用エネルギー量と予測した場合には、取り出し後に手入れメニューを行うかどうかの指示入力を行うよう報知することにより、取り出し時の環境から省エネ率が低い場合には、使用者が、省エネ性は低いが手入れを優先して手入れメニューを実行するのか、省エネ性を優先して手入れメニューの実行をやめるのかを決めることができる。
【００１８】
第６の発明は、コンピュータに第１〜５のいずれか１つの発明の加熱調理器の前記制御手段、前記使用エネルギー量予測手段は、少なくとも一部を実行させるためのプログラムであることにより、電気・情報機器、コンピュータ、サーバー等のハードリソースを協働させて本発明の少なくとも一部を容易に実現することができる。また、記録媒体に記録したり通信回線を用いてプログラムを配信したりすることで、プログラムの配布・更新やそのインストール作業が簡単にできる。
【００１９】
以下、本発明の実施の形態について、図面を参照しながら説明する。なお、この実施の形態によって本発明が限定されるものではない。
【００２０】
（実施の形態１）
図１は、本発明の実施の形態１における加熱調理器の構成を示すブロック図である。また、図２は、同加熱調理器の動作の流れを示すフローチャートである。また、図３は、同加熱調理器の取り出し時の調理室内の温度による使用エネルギー量予測手段の予測の一例を示す図、図４は、同加熱調理器の取り出し時の調理室内の蒸気量検知の動作の流れを示すフローチャートである。
【００２１】
図１において、加熱調理器（本実施の形態ではオーブンレンジ）１は、調理室１０１と、調理室１０１内を加熱するための加熱調理手段（本実施の形態では、ヒーター１０２と蒸気発生部１０３）と、制御手段１０４と、調理メニュー選択手段１０５と、手入れメニュー選択手段１０６と、調理メニューに手入れメニューを連動メニューとして登録する手入れ連動メニュー登録手段１０７と、調理物取り出し検知手段（本実施の形態では調理室扉開閉検知手段）１０８と、取り出し環境検知手段である調理室内温度検知手段１０９と、同じく取り出し環境検知手段である調理室内蒸気量検知手段１１０と、使用エネルギー量予測手段１１１と、報知手段１１２を備えている。
【００２２】
以上のように構成された加熱調理器について、以下その動作、作用を説明する。使用者は予め調理または手入れについて動作させたいメニューについて、調理メニュー選択手段１０５または手入れメニュー選択手段１０６を用いて、選択する。即ち、調理メニューまたは手入れメニュー単独で動作させたい場合は、調理メニュー選択手段１０５または手入れメニュー選択手段１０６のいずれかについてメニュー選択を行えば良い。調理メニュー後に、手入れメニューを連動させて行いたい場合は、手入れ連動メニュー登録手段１０７を用いて、調理メニュー選択手段１０５での選択メニューと、手入れメニュー選択手段１０６での選択メニューを組み合わせて、例えば調理メニュー「魚の照り焼き」と手入れメニュー「調理室天井汚れ落とし」等を組み合わせて登録を行う（ステップ１、２）。
【００２３】
その後、使用者は、図１に図示していない開始ボタンを押し、制御手段１０４は、ヒーター１０２または蒸気発生部１０３を制御しながら、選択されたメニューの動作を開始し（ステップ３）、メニュー動作が終了すると、単独メニューの場合の場合はそのまま終了
し、連動メニューの場合は、連動するメニューの処理を行う（ステップ４、５）。連動手入れメニューが登録されている場合は、調理室扉開閉検知手段１０８で調理物の取り出しを検知すると（ステップ６）、取り出し環境検知手段である調理室内温度検知手段１０９または調理室内蒸気量検知手段１１０により取り出し時の環境を検知する（ステップ７）。調理室内温度検知手段１０９では、取り出し時の調理室内温度を検知し、調理室内蒸気量検知手段１１０では、取り出し時の調理室内の蒸気量を検知する。
【００２４】
本実施の形態では、調理室内蒸気量検知手段１１０での取り出し時の調理室内の蒸気量検知については、図４のステップ２１〜ステップ２８に示したように、連動する手入れメニューの動作に先立って行われた調理メニューで蒸気発生部１０３により蒸気を発生している場合には、予めわかっている単位時間あたりの蒸気発生量×発生時間で蒸気発生量を算出する一方で、先立って行われた調理メニューの調理終了後から取出しまでの経過時間と予め実験的にわかっている結露量との対応関係を元に、残留蒸気量を算出して、取り出し時の調理室内の蒸気量としている。連動する手入れメニューの動作に先立って行われた調理メニューで蒸気発生部１０３により蒸気を発生していない場合には、残留蒸気量を０としている。いずれの場合も、実際には加熱により調理物から蒸気が発生するが、本実施の形態では、０として算出しているが、調理物の重量変化等から調理物から発生する蒸気量を算出するようにしてもかまわない。
【００２５】
取り出し時の環境検知後は、使用エネルギー量予測手段１１１により、その後に行う連動手入れメニューでの使用エネルギー量（本実施の形態では、使用電力量）を予測する。即ち、図３に示したように、例えば連動する手入れメニューが、ヒーター１０２で汚れを高温（例えばＴ２℃）で一定時間（例えば３０分）で焼ききるものであれば、取り出し時の調理室内温度（例えばＴ１℃）との差によりＴ２℃までの到達に必要な電力量とＴ２℃を３０分維持するのに必要な電力量から使用電力量を予測する。
【００２６】
連動する手入れメニューが、蒸気発生部１０３により発生させた蒸気で、汚れを浮かすものであれば、汚れを浮かすのに必要な蒸気量と、取り出し時の調理室内蒸気量との差から使用電力量を予測する。
【００２７】
一方、単独の手入れメニュー動作時の使用電力量については、先立って行われた調理メニューの動作開始時の調理室の温度を予め調理室内温度検知手段１０９で検知していた温度（本実施の形態ではＴ０℃）を元に使用電力量を算出する。
【００２８】
その後に行う連動手入れメニューでの使用エネルギー量の予測と、単独の手入れメニュー動作時の使用電力量の算出が終了すれば、予測した使用エネルギー量の単独の手入れメニュー動作時の使用電力量に対する割合を算出する（ステップ８〜１０）。
【００２９】
割合を算出した結果、所定値（本実施の形態では０．８）以下であれば、そのまま連動手入れメニュー動作を自動開始すると共に、報知手段１１２で、使用エネルギー削減量を報知する（ステップ１０、１１、１３）。割合を算出した結果、０．８以上であれば、連動手入れメニュー動作開始を保留すると共に、報知手段１１２で、動作開始の保留及び開始するかどうかの入力を促す報知を行い、使用エネルギー削減量を報知する（ステップ１０、１２、１３）。
【００３０】
以上のように、本実施の形態においては、被調理物を収納する調理室１０１と、加熱などの調理を行うための加熱調理手段であるヒーター１０２、蒸気発生部１０３と、加熱調理手段１０２、１０３を制御するための制御手段１０４と、調理メニューを選択するための調理メニュー選択手段１０５と、加熱調理手段１０２、１０３を用いて調理室を手入れする手入れメニューを選択するための手入れメニュー選択手段１０６と、調理メニュー選
択手段１０５で選択した調理メニューに、手入れメニュー選択手段１０６で選択した手入れメニューを組み合わせて連動メニューとして登録するための手入れ連動メニュー登録手段１０７と、調理物取り出し検知手段１０８と、調理物取り出し時の調理室１０１の環境検知をするための取り出し環境検知手段である調理室内温度検知手段１０９、調理室内蒸気量検知手段１１０と、使用エネルギー量予測手段１１１を備え、制御手段１０４は、手入れ連動メニュー登録手段１０７に登録されたメニュー動作開始時には、調理メニュー終了後、取り出し環境検知手段である調理室内温度検知手段１０９または調理室内蒸気量検知手段１１０が検知した環境により、使用エネルギー量予測手段１１１が予測したその後に行う手入れメニューの使用エネルギー量が、手入れメニュー単独の場合の使用エネルギー量に対する割合に応じて、取り出し後に手入れメニューを自動で行うかどうか決定するので、使用者ニーズに合わせて、調理後に手入れをしたいメニューを連動させ、しかも調理で使用した加熱調理手段のエネルギーを調理物取り出し時の状態に応じて活用して省エネ手入れをすることができる。
【００３１】
また、本実施の形態においては、取り出し環境検知手段である調理室内温度検知手段１０９が、調理物取り出し時の調理室１０１内の温度を検知することで、調理室内が高温となるオーブン調理メニューやグリル調理メニューと、高温で汚れを焼き切るなどの手入れメニューを連動させて省エネ手入れをすることができる。
【００３２】
また、本実施の形態においては、取り出し環境検知手段である調理室内蒸気量検知手段１１０が、調理物取り出し時の調理室１０１内の蒸気量とすることで、調理室内に蒸気が満ちる蒸し調理メニューと、蒸気で脱臭や汚れ落としなどの手入れメニューを連動させて省エネ手入れをすることができる。
【００３３】
さらに、本実施の形態においては、報知手段１１２を備え、制御手段１０４は、使用エネルギー量予測手段１１１が、手入れメニュー単独の場合に対して所定値以下の使用エネルギー量と予測した場合には、取り出し後に手入れメニューを自動開始し、手入れメニュー単独での電力使用時と比較した使用エネルギー量削減量を報知することにより、取り出し時の環境から省エネ率が高い場合に手入れが自動的に実行される上に、使用者も使用エネルギー量削減量を確認することができる。
【００３４】
また、本実施の形態においては、報知手段１１２を備え、制御手段１０４は、使用エネルギー量予測手段１１１が、手入れメニュー単独の場合に対して所定値より大きい使用エネルギー量と予測した場合には、取り出し後に手入れメニューを行うかどうかの指示入力を行うよう報知手段１１２に報知することにより、取り出し時の環境から省エネ率が低い場合には、使用者が、省エネ性は低いが手入れを優先して手入れメニューを実行するのか、省エネ性を優先して手入れメニューの実行をやめるのかを決めることができる。
【００３５】
なお、本実施の形態では、調理物取り出し検知手段１０７は、調理室扉開閉検知手段としたが、調理物の置かれる位置下に設けられた重量センサにより、調理物の重量を検知することで調理物取り出しを検知するようにしてもかまわないし、赤外線温度センサなどで調理物の置かれる位置の温度変化を検知することで調理物取り出しを検知するようにしてもかまわない。
【００３６】
また、本実施の形態では、取り出し環境検知手段として、調理室内温度検知手段１０９では、取り出し時の調理室内温度を検知し、調理室内蒸気量検知手段１１０では、取り出し時の調理室内の蒸気量を検知するようにしたが、いずれか一方でもかまわないし、湿度センサなどで環境を検知するようにしてもかまわない。
【００３７】
さらに、本実施の形態では、調理室内蒸気量検知手段１１０での取り出し時の調理室内
の蒸気量検知は、演算により行うようにしたが、湿度センサで検知するようにしてもかまわない。
【００３８】
また、本実施の形態では、単独の手入れメニュー動作時の使用電力量については、先立って行われた調理メニューの動作開始時の調理室の温度を予め調理室内温度検知手段１０９で検知していた温度を元に使用電力量を算出するようにしたが、固定温度（２０℃）を元に算出するようにしてもかまわない。
【００３９】
なお、本実施の形態で説明した加熱調理器の制御手段１０３、使用エネルギー量予測手段１１０は、ＣＰＵ（またはマイコン）、ＲＡＭ、ＲＯＭ、記憶・記録加熱調理器、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００４０】
以上のように、本発明にかかる加熱調理器およびそのプログラムは、調理メニューに手入れメニューを連動メニューとして登録すると、使用エネルギー量予測手段が予測した調理物取り出し時の環境によりその後に行う手入れメニューの使用エネルギー量の、手入れメニュー単独実行時量に対する割合に応じて、手入れメニューを連動自動実行するか決定することで、使用者ニーズに合わせて、調理後に手入れをしたいメニューを連動させ、しかも調理で使用した加熱調理手段のエネルギーを調理物取り出し時の状態に応じて活用して省エネ手入れをすることができるので、家庭用機器だけでなく、業務用機器にも適用でき、使用者の省エネ意識の向上にもつながり、有用である。
【符号の説明】
【００４１】
１  加熱調理器
１０１  調理室
１０２  ヒーター（加熱調理手段）
１０３  蒸気発生部（加熱調理手段）
１０４  制御手段
１０５  調理メニュー選択手段
１０６  手入れメニュー選択手段
１０７  手入れ連動メニュー登録手段
１０８  調理物取り出し検知手段
１０９  調理室内温度検知手段（取り出し環境検知手段）
１１０  調理室内蒸気量検知手段（取り出し環境検知手段）
１１１  使用エネルギー予測手段
１１２  報知手段
【図１】
2011185473.tif 000003
【図２】
2011185473.tif 000004
【図３】
2011185473.tif 000005
【図４】
2011185473.tif 000006